【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
ユーザー識別子とそのユーザーが使用するものとして登録された閲覧装置を特定するデバイス識別子とを対応付けたデバイス管理データを格納する管理サーバー装置と、
ユーザー識別子および、自身のビューワー機能の起動が認められる閲覧装置を特定するデバイス識別子の記録を内蔵する電子書籍用ビューワーと、
自身のデバイス識別子を記憶し、前記管理サーバー装置にネットワーク接続して使用される閲覧装置と、
を用いるコンテンツ管理方法であって、
管理サーバー装置が、ユーザー識別子とコンテンツ識別子を含むコンテンツリクエストを受け付けるコンテンツリクエスト受付ステップと、
管理サーバー装置が、コンテンツリクエストに指定されたユーザー識別子をキーにしてデバイス管理データを参照して、該ユーザー識別子に対応したデバイス識別子を読み取り、このデバイス識別子とユーザー識別子との組み合わせを含むコンテンツ管理データをコンテンツリクエストのコンテンツ識別子に関係付けて作成するコンテンツ管理作成ステップと、
管理サーバー装置がコンテンツリクエストのコンテンツ識別子により識別される電子書籍データと、作成したコンテンツ管理データをリクエスト元へ提供するステップと、
ビューワー機能の起動が認められる閲覧装置上で、電子書籍用ビューワーが、自身が内蔵するユーザー識別子とデバイス識別子と、閲覧対象として指定されたコンテンツに関係付けられるコンテンツ管理データのユーザー識別子とデバイス識別子とを比較して、一致したか否かを判定するコンテンツ判定ステップと、
コンテンツ判定ステップの結果が一致の場合にのみ、コンテンツ管理データに関連付けられた電子書籍を表示するコンテンツ閲覧ステップと、
を含んだ手順でなされることを特徴とするコンテンツ管理方法。
【請求項２】
請求項１に記載のコンテンツ管理方法において、
閲覧装置の電子書籍用ビューワーが、閲覧者によって入力されたユーザー識別子を受け付けて、ユーザー識別子と閲覧装置自身が記憶するデバイス識別子を含むデバイス管理登録リクエストを管理サーバー装置に、送信するデバイス管理登録リクエストステップと、
管理サーバー装置が、デバイス管理登録リクエストのユーザー識別子が本人認証に成功したユーザー識別子であることを確認した後に、このユーザー識別子とデバイス管理登録リクエストのデバイス識別子を対応付けた新たなデバイス管理データを作成して登録するデバイス管理登録ステップと、
管理サーバー装置が、デバイス管理登録リクエスト元の閲覧装置に、登録完了報告を返信する登録完了報告ステップと、
電子書籍用ビューワーが、受信した登録完了報告を受け付けて、デバイス管理登録リクエストに用いたユーザー識別子とデバイス識別子を自身に記録して内蔵する識別子内蔵ステップと、
を含んだ手順でなされることを特徴とするコンテンツ管理方法。
【請求項３】
請求項２に記載のコンテンツ管理方法において、
コンテンツ判定ステップの比較結果が、ユーザー識別子が一致して、デバイス識別子が不一致の場合にのみ、閲覧装置の電子書籍用ビューワーが、ビューワー自身の内蔵するユーザー識別子とデバイス識別子とを含むコンテンツ管理変更リクエストを管理サーバー装置に送信するコンテンツ管理変更リクエストステップと、
管理サーバー装置が、コンテンツ管理変更リクエストのユーザー識別子が本人認証に成功したユーザー識別子であることを確認した後に、このユーザー識別子とデバイス識別子の組合せを用いて、このユーザー識別子とデバイス識別子の組合せと一致する組合せのデバイス管理データが存在するかどうか検査して、一致する組合せのデバイス管理データが存在するならば、コンテンツ管理書換許可をリクエスト元の閲覧装置に返信する書換許可返信ステップと、
閲覧装置の電子書籍用ビューワーが、コンテンツ管理書換許可を受け付けて、コンテンツ管理変更リクエストが指定するデバイス識別子を用いて、電子書籍に関連付けられたコンテンツ管理データのデバイス識別子を書き換えて更新するコンテンツ管理変更ステップと、
を含む手順であることを特徴とするコンテンツ管理方法。
【請求項４】
ユーザー識別子を含むユーザー認証用データと、コンテンツ識別子により識別されるコンテンツデータと、ユーザー識別子とそのユーザーが使用するものとして登録された閲覧装置を特定するデバイス識別子とを対応付けたデバイス管理データと、デバイス識別子とユーザー識別子との組合せを含むコンテンツ管理データと、ユーザー識別子および、自身のビューワー機能の起動が認められる閲覧装置を特定するデバイス識別子の記録を内蔵する電子書籍用ビューワーを閲覧装置にインストールするためのビューワーインストールデータと、を記憶する記憶手段を備えた管理サーバー装置であって、
前記電子書籍用ビューワーは、
コンテンツ管理データと電子書籍を読み取る電子書籍読取機能と、
自身が内蔵するデバイス識別子と、閲覧装置が記憶するデバイス識別子とを比較・照合して、比較・照合結果が一致するか否かを判定して、一致する場合にのみ、自身のビューワー機能を有効とするビューワー判定機能と、
ビューワー機能が有効と認められる場合にのみ、電子書籍用ビューワーが内蔵するユーザー識別子とデバイス識別子値とを、閲覧対象として指定されたコンテンツに関係付けられるコンテンツ管理データのユーザー識別子とデバイス識別子と比較して、一致したか否かを判定するコンテンツ判定機能と、
コンテンツ判定機能の結果が一致の場合にのみ、コンテンツ管理データに関係付けられた電子書籍を表示する電子書籍表示機能と、
を実行するビューワーであって、
閲覧装置が送信するユーザー識別子を有するコンテンツリクエストを受信する機能と、
デバイス管理データを参照して、ユーザー識別子に対応するデバイス識別子を読み取るデバイス識別子読取機能と、
ユーザー識別子と、読み取ったデバイス識別子との組合せを含むコンテンツ管理データを作成するコンテンツ管理データ作成機能と、
コンテンツ管理データと電子書籍を関係付けて、閲覧装置に返信するコンテンツ配付手段と、
を備えることを特徴とする管理サーバー装置。
【請求項５】
請求項４に記載の管理サーバー装置において、
前記電子書籍用ビューワーは、さらに、
ユーザー識別子とパスワードを含む認証リクエストを管理サーバー装置に送信する認証リクエスト機能と、
本人認証に成功したユーザー識別子と、閲覧装置自身を特定するデバイス識別子を含むデバイス管理登録リクエストを管理サーバー装置に送信するデバイス管理登録リクエスト送信機能と、
管理サーバー装置が返信する登録完了報告を受信して、デバイス管理登録リクエストで指定したユーザー識別子とデバイス識別子の記録を自身に内蔵する識別子内蔵機能と、
を実行するビューワーであって、
閲覧装置から受信した認証リクエストのユーザー識別子とパスワードの組合せを用いて、ユーザー認証用データのユーザー識別子とパスワードの組合せと比較して、組合せの一致するユーザー認証用データが存在すれば、本人認証が成功であると判定して、リクエストのユーザー識別子が登録ユーザーのユーザー識別子と確認する登録ユーザー確認手段と、本人認証に成功したユーザー識別子と閲覧装置自身を特定するデバイス識別子を含むデバイス管理登録リクエストを受信する機能と、
本人認証に成功したユーザー識別子と、デバイス管理登録リクエストに指定されたデバイス識別子とを対応付けた新たなデバイス管理データを作成して登録する機能と、
登録完了報告をリクエスト元の閲覧装置に返信する機能と、
を実行するデバイス管理登録手段と、
ビューワーリクエストを受け付けて、ビューワーインストールデータをリクエスト元の閲覧装置に返信するビューワー配付手段と、
を備えることを特徴とする管理サーバー装置。
【請求項６】
請求項５に記載の管理サーバー装置において、
前記電子書籍用ビューワーは、さらに、
「ビューワー自身の内蔵する」ユーザー識別子とデバイス識別子を含むデバイス管理削除リクエストを管理サーバー装置に送信するデバイス管理削除リクエスト機能と、
コンテンツ判定機能の比較・照合結果がユーザー識別子が一致してデバイス識別子が不一致の場合にのみ、ビューワー自身の内蔵するユーザー識別子とデバイス識別子を含むコンテンツ管理変更リクエストを管理サーバー装置に送信するコンテンツ管理変更リクエスト機能と、
管理サーバー装置から返信されたコンテンツ管理書換許可を受信した場合にのみ、コンテンツ管理変更リクエストで指定したデバイス識別子を用いて、電子書籍に関連付けられたコンテンツ管理データを書き換えて更新するコンテンツ管理更新機能と、
を実行するビューワーであって、
閲覧装置が送信する、ユーザー識別子とデバイス識別子を含むデバイス管理削除リクエストを受信する問合せ受付機能と、
デバイス管理削除リクエストのユーザー識別子とデバイス識別子の組合せを、デバイス管理データのユーザー識別子とデバイス識別子の組合せと比較して、一致するユーザー識別子を有するデバイス管理データを削除する削除機能と、
を実行するデバイス管理削除手段と、
閲覧装置が送信するコンテンツ管理変更リクエストを受信する問合せ受付機能と、
ユーザー識別子とコンテンツ管理変更リクエストのデバイス識別子の組合せを用いて、デバイス管理データのユーザー識別子とデバイス識別子の組合せを参照して、一致する組合せが存在した場合にのみ、コンテンツ管理書換許可をリクエスト元の閲覧装置に返信する回答機能と、
を実行する書換許可手段、
を備えることを特徴とする管理サーバー装置。
【請求項７】
コンピュータに組込むことによって、コンピュータを請求項４から６のいずれか１項に記載の管理サーバー装置として動作させるコンピュータプログラム。
【請求項８】
請求項２に記載のコンテンツ管理方法において、
管理サーバー装置が、デバイス管理登録リクエストのユーザー識別子が本人認証に成功したユーザー識別子であることを確認した後に、デバイス管理ファイルを参照して、このユーザー識別子と一致するユーザー識別子を有するデバイス管理データの個数を計数して、計数したデバイス管理データの個数が登録制限台数に達している場合には、計数した全てのデバイス管理データを用いて、閲覧装置を特定する情報とデバイス識別子を対応付けた仮削除候補リストを作成してリクエスト元へ提供するリスト提供ステップと、
電子書籍用ビューワーが、仮削除候補リストを表示して、閲覧者が選択した閲覧装置を特定する情報を受け付けて、この特定する情報に対応付けられたデバイス識別子を含む仮削除リクエストを作成し、管理サーバー装置に送信する仮削除リクエストステップと、
管理サーバー装置が、デバイス管理ファイルを参照して、受け付けた仮削除リクエストのデバイス識別子を有するデバイス管理データを仮削除する仮削除ステップと、
管理サーバー装置が、デバイス管理データを仮削除した場合にのみ、デバイス管理登録リクエストのユーザー識別子とデバイス識別子を対応付けた、有効期間情報を含むデバイス管理データを作成して仮登録する仮登録ステップと、
管理サーバー装置が、デバイス管理登録リクエスト元の閲覧装置に、仮登録完了報告を返信する仮登録完了報告ステップと、
電子書籍用ビューワーが、デバイス管理登録リクエスト元の閲覧装置によって受信された仮登録完了報告に基づいて、有効期間情報と、デバイス管理登録リクエストに用いたユーザー識別子とデバイス識別子を、自身に記録して内蔵する仮登録情報内蔵ステップと、
を含んだ手順でなされることを特徴とするコンテンツ管理方法。
【請求項９】
請求項８に記載のコンテンツ管理方法において、
管理サーバー装置が、デバイス管理ファイルのデバイス管理データの有効期間情報を参照して、有効期間が切れであるか否かを判定するデータ有効期間判定ステップと、
管理サーバー装置が、有効期間切れであると判定した場合には、このデバイス管理データを削除する仮登録削除ステップと、
電子書籍用ビューワーが、自身に内蔵する有効期間情報を参照して、有効期間切れであるか否かを判定するビューワー有効期間判定ステップと、
電子書籍用ビューワーが、有効期間切れであると判定した場合には、自身に内蔵するユーザー識別子とデバイス識別子を削除する不活性化ステップと、
を含んだ手順でなされることを特徴とするコンテンツ管理方法。
【請求項１０】
請求項８に記載のコンテンツ管理方法において、
前記リスト提供ステップにおいて、
個数の計数に利用したデバイス管理データに仮削除されたデバイス管理データが既に含まれる場合には、仮削除候補リストの作成をせずに、仮削除・仮登録を不可とする、
ことを特徴とするコンテンツ管理方法。
【請求項１１】
請求項５に記載の管理サーバー装置において、
前記デバイス管理データは、さらに、
少なくとも有効期間情報あるいは仮削除情報を含むことが可能であって、
前記記憶手段が記憶するビューワーインストールデータによってインストールされる電子書籍用ビューワーは、さらに、
有効期間情報を内蔵することが可能であって、
前記電子書籍用ビューワーは、さらに、
携帯表示装置を特定する情報とデバイス識別子とを対応付けた仮削除候補リストを表示するリスト表示機能と、
入力した携帯表示装置を特定する情報を受け付けて、この携帯表示装置特定情報に対応付けられたデバイス識別子を含む仮削除リクエストを作成して、管理サーバー装置に送信する仮削除リクエスト機能と、
管理サーバー装置が送信する仮登録完了報告を受け付けて、自身に、デバイス管理登録リクエストで指定したユーザー識別子とデバイス識別子と有効期間情報の記録を内蔵する仮識別子内臓機能と、
を実行するビューワーであって、
受信したビューワーリクエストのユーザー識別子と一致するユーザー識別子を有するデバイス管理データの個数が登録制限台数に達しているか否かを判定するデバイス管理登録数判定手段と、
判定の結果が登録制限台数に達している場合には、これらのビューワーリクエストのユーザー識別子と一致するユーザー識別子を有するデバイス管理データを用いて、閲覧装置を特定する情報とデバイス識別子を対応付けた仮削除候補リストを作成するリスト作成機能と、
仮削除候補リストをリクエスト元に返信する機能と、
を実行する仮削除候補リスト作成手段と、
携帯表示装置が送信する仮削除リクエストを受信する仮削除問合せ受付機能と、
登録ユーザーのユーザー識別子であることが確認されたユーザー識別子と、受信した仮削除リクエストに含まれるデバイス識別子と、の組合せに基づいて、デバイス管理データのユーザー識別子とデバイス識別子の組合せを参照して、両者が一致するデバイス管理データに仮削除情報を追記して更新する仮削除機能と、
を実行する仮デバイス管理削除手段と、
登録ユーザーであることが確認されたユーザー識別子と、デバイス管理登録リクエストのデバイス識別子と、を対応付けた、有効期間情報を含むデバイス管理データを作成する仮デバイス管理データ作成機能と、
仮登録完了報告をビューワーリクエスト元の携帯表示装置に返信する仮登録完了報告返信機能と、
を実行する仮デバイス管理登録手段と、
を備えることを特徴とする管理サーバー装置。
【請求項１２】
請求項１１に記載の管理サーバー装置において、
前記仮デバイス管理登録手段は、
デバイス管理データの有効期間情報を参照して、有効期間が切れているか否かを判定して、有効期間が切れていると判定した場合にのみ、そのデバイス管理データを削除する有効期間確認機能、
を備え、
前記電子書籍用ビューワーは、さらに、
内蔵する有効期間情報を参照して、有効期間が切れているか否かを判定して、有効期間が切れていると判定した場合にのみ、内蔵するユーザー識別子とデバイス識別子とを削除する有効期間確認機能、
を備えることを特徴とする管理サーバー装置。
【請求項１３】
前記デバイス管理登録数判定手段は、
受信したビューワーリクエストまたはデバイス管理登録リクエストのユーザーＩＤと同一のユーザーＩＤを有する仮削除されたデバイス管理データが存在せず、かつ、受信したビューワーリクエストのユーザー識別子と一致するユーザー識別子を有するデバイス管理データの個数が登録制限台数に達しているか否かを判定する、
ものであることを特徴とする請求項１１に記載の管理サーバー装置。
【請求項１４】
コンピュータに組込むことによって、コンピュータを請求項１１から１３のいずれか１項に記載の管理サーバー装置として動作させるコンピュータプログラム。
【手続補正２】
【補正対象書類名】明細書
【補正対象項目名】０００９
【補正方法】変更
【補正の内容】
【０００９】
本発明は、以下の各態様に記載の手段により、前記課題を解決する。
すなわち、本願発明の第１の発明は、
ユーザー識別子とそのユーザーが使用するものとして登録された閲覧装置を特定するデバイス識別子とを対応付けたデバイス管理データを格納する管理サーバー装置と、
ユーザー識別子および、自身のビューワー機能の起動が認められる閲覧装置を特定するデバイス識別子の記録を内蔵する電子書籍用ビューワーと、
自身のデバイス識別子を記憶し、前記管理サーバー装置にネットワーク接続して使用される閲覧装置と、
を用いるコンテンツ管理方法であって、
管理サーバー装置が、ユーザー識別子とコンテンツ識別子を含むコンテンツリクエストを受け付けるコンテンツリクエスト受付ステップと、
管理サーバー装置が、コンテンツリクエストに指定されたユーザー識別子をキーにしてデバイス管理データを参照して、該ユーザー識別子に対応したデバイス識別子を読み取り、このデバイス識別子とユーザー識別子との組み合わせを含むコンテンツ管理データをコンテンツリクエストのコンテンツ識別子に関係付けて作成するコンテンツ管理作成ステップと、
管理サーバー装置がコンテンツリクエストのコンテンツ識別子により識別される電子書籍データと、作成したコンテンツ管理データをリクエスト元へ提供するステップと、
ビューワー機能の起動が認められる閲覧装置上で、電子書籍用ビューワーが、自身が内蔵するユーザー識別子とデバイス識別子と、閲覧対象として指定されたコンテンツに関係付けられるコンテンツ管理データのユーザー識別子とデバイス識別子とを比較して、一致したか否かを判定するコンテンツ判定ステップと、
コンテンツ判定ステップの結果が一致の場合にのみ、コンテンツ管理データに関連付けられた電子書籍を表示するコンテンツ閲覧ステップと、
を含んだ手順でなされることを特徴とするコンテンツ管理方法である。
【手続補正３】
【補正対象書類名】明細書
【補正対象項目名】００１３
【補正方法】変更
【補正の内容】
【００１３】
本願発明の第３の発明は、
第２の発明に記載のコンテンツ管理方法において、
コンテンツ判定ステップの比較結果が、ユーザー識別子が一致して、デバイス識別子が不一致の場合にのみ、閲覧装置の電子書籍用ビューワーが、ビューワー自身の内蔵するユーザー識別子とデバイス識別子を含むコンテンツ管理変更リクエストを管理サーバー装置に送信するコンテンツ管理変更リクエストステップと、
管理サーバー装置が、コンテンツ管理変更リクエストのユーザー識別子が本人認証に成功しユーザー識別子であることを確認した後に、このユーザー識別子とデバイス識別子の組合せを用いて、このユーザー識別子とデバイス識別子の組合せと一致する組合せのデバイス管理データが存在するかどうか検査して、一致する組合せのデバイス管理データが存在するならば、コンテンツ管理書換許可をリクエスト元の閲覧装置に返信する書換許可返信ステップと、
閲覧装置の電子書籍用ビューワーが、コンテンツ管理書換許可を受け付けて、コンテンツ管理変更リクエストが指定するデバイス識別子を用いて、電子書籍に関連付けられたコンテンツ管理データのデバイス識別子を書き換えて更新するコンテンツ管理変更ステップと、
を含んだ手順でなされることを特徴とするコンテンツ管理方法である。
【手続補正４】
【補正対象書類名】明細書
【補正対象項目名】００１４
【補正方法】変更
【補正の内容】
【００１４】
本願発明の第４の発明は、
ユーザー識別子を含むユーザー認証用データと、コンテンツ識別子により識別されるコンテンツデータと、ユーザー識別子とそのユーザーが使用するものとして登録された閲覧装置を特定するデバイス識別子とを対応付けたデバイス管理データと、デバイス識別子とユーザー識別子との組合せを含むコンテンツ管理データと、ユーザー識別子および、自身のビューワー機能の起動が認められる閲覧装置を特定するデバイス識別子の記録を内蔵する電子書籍用ビューワーを閲覧装置にインストールするためのビューワーインストールデータと、を記憶する記憶手段を備えた管理サーバー装置であって、
前記電子書籍用ビューワーは、
コンテンツ管理データと電子書籍を読み取る電子書籍読取機能と、
自身が内蔵するデバイス識別子と、閲覧装置が記憶するデバイス識別子とを比較・照合して、比較・照合結果が一致するか否かを判定して、一致する場合にのみ、自身のビューワー機能を有効とするビューワー判定機能と、
ビューワー機能が有効と認められる場合にのみ、電子書籍用ビューワーが内蔵するユーザー識別子とデバイス識別子とを、閲覧対象として指定されたコンテンツに関係付けられるコンテンツ管理データのユーザー識別子とデバイス識別子と比較して、一致したか否かを判定するコンテンツ判定機能と、
コンテンツ判定機能の結果が一致の場合にのみ、コンテンツ管理データに関係付けられた電子書籍を表示する電子書籍表示機能と、
を実行するビューワーであって、
閲覧装置が送信するユーザー識別子を有するコンテンツリクエストを受信する機能と、
デバイス管理データを参照して、ユーザー識別子に対応するデバイス識別子を読み取るデバイス識別子読取機能と、
ユーザー識別子と、読み取ったデバイス識別子との組合せを含むコンテンツ管理データを作成するコンテンツ管理データ作成機能と、
コンテンツ管理データと電子書籍を関係付けて、閲覧装置に返信するコンテンツ配付手段と、
を備えることを特徴とする管理サーバー装置である。
【手続補正５】
【補正対象書類名】明細書
【補正対象項目名】００１８
【補正方法】変更
【補正の内容】
【００１８】
本願発明の第８の発明は、
本願発明の第２の発明に記載のコンテンツ管理方法において、
管理サーバー装置が、デバイス管理登録リクエストのユーザー識別子が本人認証に成功したユーザー識別子であることを確認した後に、デバイス管理ファイルを参照して、このユーザー識別子と一致するユーザー識別子を有するデバイス管理データの個数を計数して、計数したデバイス管理データの個数が登録制限台数に達している場合には、計数した全てのデバイス管理データを用いて、閲覧装置を特定する情報とデバイス識別子を対応付けた仮削除候補リストを作成してリクエスト元へ提供するリスト提供ステップと、
電子書籍用ビューワーが、仮削除候補リストを表示して、閲覧者が選択した閲覧装置を特定する情報を受け付けて、この特定する情報に対応付けられたデバイス識別子を含む仮削除リクエストを作成し、管理サーバー装置に送信する仮削除リクエストステップと、
管理サーバー装置が、デバイス管理ファイルを参照して、受け付けた仮削除リクエストのデバイス識別子を有するデバイス管理データを仮削除する仮削除ステップと、
管理サーバー装置が、デバイス管理データを仮削除した場合にのみ、デバイス管理登録リクエストのユーザー識別子とデバイス識別子を対応付けた、有効期間情報を含むデバイス管理データを作成して仮登録する仮登録ステップと、
管理サーバー装置が、デバイス管理登録リクエスト元の閲覧装置に、仮登録完了報告を返信する仮登録完了報告ステップと、
電子書籍用ビューワーが、デバイス管理登録リクエスト元の閲覧装置によって受信された仮登録完了報告に基づいて、有効期間情報と、デバイス管理登録リクエストに用いたユーザー識別子とデバイス識別子を、自身に記録して内蔵する仮登録情報内蔵ステップと、
を含んだ手順でなされることを特徴とするコンテンツ管理方法である。
【手続補正６】
【補正対象書類名】明細書
【補正対象項目名】００２０
【補正方法】変更
【補正の内容】
【００２０】
本願発明の第１０の発明は、
本願発明の第８の発明に記載のコンテンツ管理方法において、
前記リスト提供ステップにおいて、
個数の計数に利用したデバイス管理データに仮削除されたデバイス管理データが既に含まれる場合には、仮削除候補リストの作成をせずに、仮削除・仮登録を不可とする、
ことを特徴とするコンテンツ管理方法である。